(57)【特許請求の範囲】
【請求項１】
人感センサにおける人の存否の検知状態に応じて、光源が取り付けられる照明器具に対する照明制御を行う照明制御システムであって、
１つの人感センサを利用した照明制御の対象となる複数の照明器具の組み合わせを前記１つの人感センサの制御範囲とし、前記１つの人感センサの制御範囲には、前記１つの人感センサが人の存否を検知可能なエリアに設置された照明器具の全て又は一部を含めることができ、
光源が点灯している第１状態で前記１つの人感センサにて人の存在が検知された場合、前記１つの人感センサの制御範囲に含まれる前記複数の照明器具に対して第１状態を保持させ、第１状態で前記１つの人感センサにて人の不在が検知された場合、前記１つの人感センサの制御範囲に含まれる前記複数の照明器具に対して第１状態を光源の輝度が第１状態より低い第２状態へ変化させ、第２状態で前記１つの人感センサにて人の存在が検知された場合、及び、第２状態で前記１つの人感センサにて人の不在が検知された場合、前記１つの人感センサの制御範囲に含まれる前記複数の照明器具に対して第２状態を保持させる照明制御部と、
前記１つの人感センサの制御範囲に含まれる前記複数の照明器具に１対多の関係で対応する１つの壁スイッチ又は１つのワイヤレスリモコンを具備し、人が前記１つの壁スイッチ又は前記１つのワイヤレスリモコンに対して点灯の操作をした場合に、第２状態を第１状態へ変化させるように指令する指令信号を入力する信号入力部とを備え、
前記照明制御部は、第２状態で前記信号入力部により指令信号が入力された場合のみ、前記１つの壁スイッチ又は前記１つのワイヤレスリモコンに対応する前記複数の照明器具に対して第２状態を第１状態へ変化させることを特徴とする照明制御システム。
【請求項２】
前記照明制御部は、第１状態で前記１つの人感センサにて人の不在が検知された場合、予め設定された保持時間の経過後に、前記１つの人感センサの制御範囲に含まれる前記複数の照明器具に対して第１状態を第２状態へ変化させることを特徴とする請求項１に記載の照明制御システム。
【請求項３】
前記照明制御システムは、さらに、
第２状態で前記１つの人感センサにて人の存在が検知された場合に第２状態を第１状態へ変化させるか否かを選択する選択部を備え、
前記照明制御部は、第２状態で前記１つの人感センサにて人の存在が検知された場合、前記選択部による選択に基づいて前記１つの人感センサの制御範囲に含まれる前記複数の照明器具に対する照明制御を行うことを特徴とする請求項１又は２に記載の照明制御システム。
【請求項４】
前記選択部は、ワイヤレスリモコン又は中央制御装置に具備されることを特徴とする請求項３に記載の照明制御システム。
【発明の詳細な説明】
【技術分野】
【０００１】
本発明は、照明制御システムに関するものである。
【背景技術】
【０００２】
一般的な照明制御システムとして、照明エリアに人が入ってくると、人感センサにより人の存在を検知して、その照明エリア内の照明装置を自動的に点灯し、照明エリアから人が出ていくと、人感センサにより人の不在を検知してから一定の保持時間の経過後に、その照明エリア内の照明装置を自動的に消灯するものがある。この照明制御システムを利用したものとして、従来、照明エリアに人が入ってくると、その照明エリア内の照明装置を、隣接する照明エリア内の照明装置の点灯状態に応じて異なる傾きでフェードイン点灯し、照明エリアから人が出ていくと、その照明エリア内の照明装置を、隣接する照明エリア内の照明装置の点灯状態に応じて異なる傾きでフェードアウト消灯するものがある（例えば、特許文献１参照）。この従来の照明制御システムでは、具体的には、照明エリアに人が入ってきたときに、隣接する照明エリア内の照明装置が点灯している場合、人が入ってきた照明エリア内の照明装置を緩やかな傾きでフェードイン点灯する。一方、隣接する照明エリア内の照明装置が消灯している場合は、人が入ってきた照明エリア内の照明装置を急な傾きでフェードイン点灯する。また、照明エリアから人が出ていったときに、隣接する照明エリア内の照明装置が点灯している場合、人が出ていった照明エリア内の照明装置を緩やかな傾きでフェードアウト消灯する。一方、隣接する照明エリア内の照明装置が消灯している場合は、人が出ていった照明エリア内の照明装置を急な傾きでフェードアウト消灯する（例えば、特許文献１参照）。
【特許文献１】特開平１１−１６２６５８号公報
【発明の開示】
【発明が解決しようとする課題】
【０００３】
従来の照明制御システムでは、人を検知すると照明エリア内の照明装置を点灯し、その照明エリアから人が出ていくと、人感センサにより人の不在を検知してから一定の保持時間の経過後に、その照明エリア内の照明装置を消灯する。そのため、その人が単に通過した通路や他の作業場所においても照明装置が点灯してしまい、また、照明装置がしばらく点灯し続けて無駄な電力が消費されてしまうという課題があった。
【０００４】
本発明は、例えば、照明装置の点灯が不要な照明エリア内で照明装置が点灯しないようにすることを目的とする。
【課題を解決するための手段】
【０００５】
本発明の一の態様に係る照明制御システムは、
人感センサにおける人の存否の検知状態に応じて、光源が取り付けられる照明器具に対する照明制御を行う照明制御システムであって、
光源が点灯している第１状態で人感センサにて人の存在が検知された場合、照明器具に対して第１状態を保持させ、第１状態で人感センサにて人の不在が検知された場合、照明器具に対して第１状態を光源の輝度が第１状態より低い第２状態へ変化させ、第２状態で人感センサにて人の存在が検知された場合、及び、第２状態で人感センサにて人の不在が検知された場合、照明器具に対して第２状態を保持させる照明制御部を備えることを特徴とする。
【発明の効果】
【０００６】
本発明の一の態様によれば、照明制御システムにおいて、照明制御部が、第１状態で人感センサにて人の存在が検知された場合、照明器具に対して第１状態を保持させ、第１状態で人感センサにて人の不在が検知された場合、照明器具に対して第１状態を第２状態へ変化させ、第２状態で人感センサにて人の存在が検知された場合、及び、第２状態で人感センサにて人の不在が検知された場合、照明器具に対して第２状態を保持させることにより、例えば、照明装置の点灯が不要な照明エリア内で照明装置が無駄に点灯しないようになり、省エネ効果が高まる。
【発明を実施するための最良の形態】
【０００７】
以下、本発明の実施の形態について、図を用いて説明する。
【０００８】
実施の形態１．
図１は、本実施の形態に係る照明制御システム１の構成を示すブロック図である。
【０００９】
図１において、照明制御システム１は、複数の照明装置２を備える。また、照明制御システム１は、１つの照明装置２又は２つ以上の照明装置２の組み合わせに対し、人感センサ３及び壁スイッチ４を１つずつ備え、照明装置２に対する照明制御に利用する。ここでは、１つの人感センサ３を利用した照明制御の対象となる照明装置２の範囲を、その人感センサ３の制御範囲５という。１つの人感センサ３の制御範囲５には、その人感センサ３が人の存否を検知可能なエリア、即ち、人感検知エリア６に設置された照明装置２の全て又は一部を含めることができる。照明制御システム１は、１つの人感センサ３における人の存否の検知状態に応じて、その人感センサ３の制御範囲５に含まれる照明装置２に対する照明制御を行う。また、照明制御システム１は、その人感センサ３とともに設置される壁スイッチ４にて人から受け付ける操作に従って、後述する指令信号を信号入力部４０から送信し、その人感センサ３の制御範囲５に含まれる照明装置２に対する照明制御を行う。例えば、互いに壁や衝立で仕切られた部屋が複数あるとき、各部屋に人感センサ３を１つ設置して、各部屋を１つの人感検知エリア６として設定することができる。そして、各部屋に複数の照明装置２を設置して、各部屋にある人感センサ３の制御範囲５として設定することができる。さらに、各部屋に壁スイッチ４を設置して、部屋ごとに、複数の照明装置２と、人感センサ３及び壁スイッチ４を関連付けて動作させることができる。
【００１０】
照明装置２は、照明制御部２０、照明器具２１、ランプ２２（光源）を具備する。照明制御部２０は、ランプ２２が取り付けられる照明器具２１に対して、ランプ２２の点灯状態を制御するための制御信号を送信する。照明器具２１は、制御信号を受信し、制御信号に応じて、ランプ２２の点灯状態を変化させるか、あるいは、保持する。ランプ２２は、例えば蛍光灯、高圧放電灯、ＬＥＤなどである。ランプ２２の点灯状態には、第１状態と第２状態があるものとする。第１状態とは、ランプ２２が点灯している状態を指す。第２状態とは、ランプ２２の輝度が第１状態より低い状態を指す。例えば、ランプ２２が高輝度点灯又は一定の輝度で点灯している状態を第１状態とし、ランプ２２が消灯している状態を第２状態とすることができる。また、例えば、ランプ２２が高輝度点灯している状態を第１状態とし、ランプ２２が低輝度点灯している状態を第２状態とすることができる。
【００１１】
人感センサ３は、該当する制御範囲５に含まれる照明装置２の照明制御部２０に対して、人の存否の検知状態を通知する検知信号を送信する。照明装置２の照明制御部２０は、検知信号を受信し、検知信号に基づいて、人感センサ３にて人の存在及び不在のどちらが検知されているかを判断する。照明制御部２０は、第１状態で人感センサ３にて人の存在が検知された場合、照明器具２１に対して第１状態を保持させ、第１状態で人感センサ３にて人の不在が検知された場合、照明器具２１に対して第１状態を第２状態へ変化させる。一方、照明制御部２０は、第２状態で人感センサ３にて人の存在及び不在のどちらが検知された場合にも、照明器具２１に対して第２状態を保持させる。例えば、照明制御部２０は、ランプ２２が高輝度点灯している状態で、人感センサ３から人の存在を検知したことを通知する検知信号を受信した場合、照明器具２１に対して、制御信号を送信しないか、あるいは、ランプ２２の点灯状態を保持するように指令する制御信号を送信する。また、照明制御部２０は、ランプ２２が高輝度点灯している状態で、人感センサ３から人の不在を検知したことを通知する検知信号を受信した場合、照明器具２１に対して、ランプ２２を消灯させるように指令する制御信号を送信する。一方、照明制御部２０は、ランプ２２が消灯している状態では、人感センサ３から受信した検知信号に関係なく、照明器具２１に対して、制御信号を送信しないか、あるいは、ランプ２２の点灯状態を保持するように指令する制御信号を送信する。
【００１２】
なお、照明装置２の照明制御部２０は、第１状態で人感センサ３にて人の不在が検知された場合、予め設定された保持時間の経過後に、照明器具２１に対して第１状態を第２状態へ変化させることが望ましい。
【００１３】
壁スイッチ４は、信号入力部４０に具備される。信号入力部４０は、該当する制御範囲５に含まれる照明装置２のランプ２２の点灯状態を、第２状態から第１状態へ変化させるように指令する指令信号を入力する。具体的には、信号入力部４０は、壁スイッチ４が押下されると、その旨を通知する信号を、照明装置２のランプ２２の点灯を指令する指令信号として、該当する制御範囲５に含まれる照明装置２の照明制御部２０に対して送信する。照明装置２の照明制御部２０は、第２状態で信号入力部４０により指令信号が入力された場合のみ、照明器具２１に対して第２状態を第１状態へ変化させる。例えば、照明制御部２０は、ランプ２２が消灯している状態では、人感センサ３から受信した検知信号に関係なく、壁スイッチ４の信号入力部４０から指令信号を受信した場合のみ、照明器具２１に対して、ランプ２２を高輝度点灯させるように指令する制御信号を送信する。
【００１４】
ここで、照明制御システム１の動作のタイムチャートを図２に例示する。従来技術と対比するために、従来の照明制御システムの動作のタイムチャートを図５に示す。
【００１５】
図２において、照明装置２は、人感センサ３の「在」検知ではランプ２２を点灯せず、壁スイッチ４の押下時のみランプ２２を点灯する。一方、照明装置２は、人感センサ３の「不在」検知ではランプ２２を消灯する。具体的には、照明装置２は、壁スイッチ４の押下によりランプ２２を点灯した後、人感センサ３が「在」を検知しなくなってから保持時間Ｔの経過後に、例えばフェード時間を経てランプ２２を消灯する。これに対し、図５では、照明装置は、壁スイッチの押下時だけでなく、人感センサの「在」検知でもランプを点灯する。
【００１６】
このように、本実施の形態では、照明装置２は、人感センサ３の「不在」検知によってランプ２２の消灯又は低輝度調光制御を行うが、人感センサ３の「在」検知ではランプ２２を点灯させず、必要なエリアのみで人が点灯の操作をする壁スイッチ４によって、ランプ２２を点灯する。これにより、不要なエリアでランプ２２を点灯することを防ぐことができ、省エネ効果が高まる。ここで、必要なエリアとは、例えば人が実際に何らかの作業を行う人感検知エリア６のことであり、不要なエリアとは、例えば人が単に通過するだけで実際には何も作業を行わない人感検知エリア６のことである。本実施の形態では、このような不要なエリアにおける余分な消費電力を抑えることが可能である。
【００１７】
本実施の形態では、壁スイッチ４に代えて、ワイヤレスリモコンを使用してもよい。この場合、ワイヤレスリモコンが信号入力部４０に具備される。信号入力部４０の動作は前述したものと同様であるが、具体的には、信号入力部４０は、ワイヤレスリモコンが具備する操作ボタンなどが押下されると、その旨を通知する信号を、照明装置２のランプ２２の点灯を指令する指令信号として、該当する制御範囲５に含まれる照明装置２の照明制御部２０に対して送信する。ワイヤレスリモコンを使用した場合、人が容易に移動しながら操作できるという利点がある。
【００１８】
本実施の形態では、壁スイッチ４の操作によって、照明装置２のランプ２２の点灯制御だけでなく、消灯制御も実行できるようにしてもよい。この場合、信号入力部４０は、該当する制御範囲５に含まれる照明装置２のランプ２２の点灯状態を、第２状態から第１状態へ変化させるように指令する指令信号のほかに、第１状態から第２状態へ変化させるように指令する指令信号を入力する。具体的には、信号入力部４０は、壁スイッチ４が押下されると（壁スイッチ４の操作方向によりランプ２２の点灯及び消灯を区別して制御できるようにしてもよい）、その旨を通知する信号を、照明装置２のランプ２２の点灯又は消灯を指令する指令信号として、該当する制御範囲５に含まれる照明装置２の照明制御部２０に対して送信する。照明装置２の照明制御部２０は、前述したように、第２状態で信号入力部４０により指令信号が入力された場合には、照明器具２１に対して第２状態を第１状態へ変化させる。一方、照明制御部２０は、第１状態で信号入力部４０により指令信号が入力された場合には、照明器具２１に対して第１状態を第２状態へ変化させる。
【００１９】
本実施の形態では、照明装置２が照明制御部２０を具備する代わりに、人感センサ３が照明制御部２０を具備してもよい。この場合、人感センサ３の照明制御部２０は、人感センサ３における人の存否の検知状態に応じて、前述した制御信号を生成し、生成した制御信号を、該当する制御範囲５に含まれる照明装置２の照明器具２１に対して送信する。
【００２０】
本実施の形態では、照明装置２が照明制御部２０を具備する代わりに、他の装置が照明制御部２０を具備してもよい。照明制御システム１は、この照明制御部２０を具備する装置を照明装置２ごとに備えていてもよいし、人感センサ３ごと（即ち、制御範囲５ごと）に備えていてもよい。あるいは、照明制御システム１は、この照明制御部２０を具備する装置を１つだけ備えていてもよいし、２つ以上備えていてもよい。例えば、照明制御システム１が、この照明制御部２０を具備する装置を１つだけ備えている場合、当該装置は全ての人感センサ３における人の存否の検知状態を監視するとともに、それぞれの人感センサ３における人の存否の検知状態に応じて、全ての照明装置２のうち、該当する制御範囲５に含まれる照明装置２の照明器具２１に対する照明制御を行うこととなる。
【００２１】
以下では、照明制御システム１の動作の例について説明する。
【００２２】
図３は、照明制御システム１の動作の例を示す図である。なお、従来技術と対比するため、従来の照明制御システム９１の動作を図６に示す。
【００２３】
図３に示した例において、Ｓ１〜Ｓ４の４つの人感センサ３が設置されている。それぞれの人感検知エリア６には、照明制御システム１の構成要素として、人感センサ３のほかに、照明装置２が４つずつ、壁スイッチ４が１つずつ設置されている。Ｓ３の人感検知エリア６は作業者８の作業エリア９となっており、Ｓ１、Ｓ２、Ｓ４の人感検知エリア６は作業者８が作業しないエリアとなっている。作業者８は、４つの人感検知エリア６の外からＳ２の人感検知エリア６、Ｓ４の人感検知エリア６を順番に通過して、Ｓ３の人感検知エリア６、即ち、作業エリア９の中に移動して所定の作業を行うものとする。また、作業者８は、作業終了後に、作業エリア９からＳ４の人感検知エリア６、Ｓ２の人感検知エリア６を順番に通過して４つの人感検知エリア６の外へ移動するものとする。その過程で、（ａ）、（ｂ）、（ｃ）、（ｄ）、（ｅ）、（ｆ）の順番に状態が遷移するものとする。図６についても同様である。
【００２４】
図３（ａ）は、作業者８がＳ１〜Ｓ４の人感検知エリア６の中にいない状態を示したものである。この状態では、いずれの人感検知エリア６内の人感センサ３も人の不在を検知している。そのため、Ｓ１〜Ｓ４の人感検知エリア６内の照明装置２は全て消灯している（調光率が０％に設定されている）。図６（ａ）でも同様である。
【００２５】
図３（ｂ）は、作業者８が作業エリア９でないＳ２、Ｓ４の人感検知エリア６に入り、Ｓ２、Ｓ４の人感検知エリア６を通過している状態を示したものである。この状態では、作業者８が通過した人感検知エリア６内の人感センサ３であるＳ２、Ｓ４は人の存在を検知するが、Ｓ２、Ｓ４の人感検知エリア６内の照明装置２は点灯せず、消灯したままである（調光率が０％に設定されたままである）。これに対し、図６（ｂ）では、作業者９８が通過した人感検知エリア９６内の人感センサ９３であるＳ２、Ｓ４が人の存在を検知したことを受け、Ｓ２、Ｓ４の人感検知エリア９６内の照明装置９２が点灯している（調光率が７０％に設定されている）。
【００２６】
図３（ｃ）は、作業者８が作業エリア９に入った状態を示したものである。この状態では、作業エリア９内の人感センサ３であるＳ３は人の存在を検知するが、作業エリア９内の照明装置２は点灯せず、消灯したままである（調光率が０％に設定されたままである）。これに対し、図６（ｃ）では、作業エリア９９内の人感センサ９３であるＳ３が人の存在を検知したことを受け、作業エリア９９内の照明装置９２が点灯している（調光率が７０％に設定されている）。また、作業者９８が通過したＳ２、Ｓ４の人感検知エリア９６においても、保持時間が経過するまで照明装置９２が点灯し続けている（調光率が７０％に設定されたままである）。
【００２７】
図３（ｄ）は、作業者８が壁スイッチ４によって作業エリア９内の照明装置２を点灯させた状態を示したものである。この状態では、作業エリア９内の照明装置２のみが点灯している（調光率が７０％に設定されている）。図６（ｄ）でも、作業者９８が通過した人感検知エリア９６において保持時間が経過したとすれば、作業エリア９９内の照明装置９２のみが点灯している（調光率が７０％に設定されている）。
【００２８】
図３（ｅ）は、作業者８がＳ１〜Ｓ４の人感検知エリア６の外に出た状態を示したものである。作業エリア９では、保持時間が経過するまで照明装置２が点灯し続けている（調光率が７０％に設定されたままである）。これに対し、図６（ｅ）では、作業者９８が再度通過した人感検知エリア９６内の人感センサ９３であるＳ４、Ｓ２が人の存在を検知したことを受け、Ｓ４、Ｓ２の人感検知エリア９６内の照明装置９２が点灯している（調光率が７０％に設定されている）。また、作業エリア９９では、保持時間が経過するまで照明装置９２が点灯し続けている（調光率が７０％に設定されたままである）。
【００２９】
図３（ｆ）は、作業エリア９において保持時間が経過した状態を示したものである。作業エリア９内の照明装置２は消灯している（調光率が０％に設定されている）。図６（ｆ）でも、作業エリア９９、及び、作業者９８が通過したＳ４、Ｓ２の人感検知エリア９６において保持時間が経過したとすれば、Ｓ２〜Ｓ４の人感検知エリア９６内の照明装置９２は消灯している（調光率が０％に設定されている）。
【００３０】
以上のように、従来の照明制御システム９１では、作業者９８が作業エリア９９に向かって移動する際、及び、作業エリア９９から外に移動する際に、通過した人感検知エリア９６内の人感センサ９３が「在」検知することで、不要なエリア内の照明装置２が点灯する。そして、不要なエリア内の照明装置２は、保持時間が経過するまで点灯状態を持続するため、余分な電力を費やしてしまう。これに対し、本実施の形態では、照明制御システム１において、照明装置２は、人感センサ３の「在」検知では点灯せず、壁スイッチ４の押下のみで点灯する。このため、作業者８が単に通過する人感検知エリア６では照明装置２が点灯せず、実際に作業を行う作業エリア９のみで照明装置２が点灯することになり、省エネを図ることができる。また、照明装置２の点滅（ＯＮ／ＯＦＦ）の回数を減らすことができるため、ランプ２２の長寿命化も図ることができる。
【００３１】
実施の形態２．
本実施の形態について、主に実施の形態１との差異を説明する。
【００３２】
図４は、本実施の形態に係る照明制御システム１の構成を示すブロック図である。
【００３３】
図１において、照明制御システム１は、ワイヤレスリモコン７を少なくとも１つ備える。その他の構成要素については、実施の形態１と同様である。
【００３４】
ワイヤレスリモコン７は、選択部７０を具備する。選択部７０は、照明装置２の照明制御部２０において、第２状態で人感センサにて人の存在が検知された場合も第２状態を第１状態へ変化させるか否かを選択する。具体的には、選択部７０は、ワイヤレスリモコン７が具備する操作ボタンなどにより、人感センサ３が人の存在を検知したときも照明装置２の照明器具２１を制御しない第１モードと、人感センサ３が人の存在を検知したときには照明装置２の照明器具２１を制御してランプ２２を点灯させる第２モードとを人に任意に選択させ、どちらのモードが選択されたかを通知する信号を、照明装置２の照明制御部２０に対して送信する。照明装置２の照明制御部２０は、第２状態で人感センサにて人の存在が検知された場合、ワイヤレスリモコン７の選択部７０による選択に基づいて照明器具２１に対する照明制御を行う。例えば、照明制御部２０は、ワイヤレスリモコン７の選択部７０から、第１モードが選択されたことを通知する信号を受信していた場合、ランプ２２が消灯している状態では、人感センサ３から受信した検知信号に関係なく、信号入力部４０から指令信号を受信しない限り、照明器具２１に対して、ランプ２２を高輝度点灯させるように指令する制御信号を送信しない。一方、照明制御部２０は、ワイヤレスリモコン７の選択部７０から、第２モードが選択されたことを通知する信号を受信していた場合、ランプ２２が消灯している状態で、人感センサ３から人の存在を検知したことを通知する検知信号を受信すると、信号入力部４０から指令信号を受信していなくても、照明器具２１に対して、ランプ２２を高輝度点灯させるように指令する制御信号を送信する。
【００３５】
本実施の形態では、ワイヤレスリモコン７に代えて、パソコンなどとして実装される中央制御装置を使用してもよい。この場合、中央制御装置が選択部７０を具備する。選択部７０の動作は前述したものと同様であるが、具体的には、選択部７０は、中央制御装置が具備するキーボードのキーやマウスのボタンなどにより、前述した第１モードと第２モードとを人に任意に選択させ、どちらのモードが選択されたかを通知する信号を、照明装置２の照明制御部２０に対して送信する。ワイヤレスリモコン７を使用した場合にも、液晶画面などで人が選択したモードを表示することができるが、中央制御装置を使用した場合、より大きなモニタの画面で人が選択したモードを表示することができるため、人が選択したモードを容易に確認できるという利点がある。
【００３６】
このように、本実施の形態では、照明制御システム１は、人が通過するだけで実際には作業を行わない人感検知エリア６内の照明装置２を、人感センサ３の「在」検知では点灯させないように制御するものであるが、場合によっては、そのような人感検知エリア６内の照明装置２であっても、人感センサ３の「在」検知で点灯させたいことがあるため、２つのモードを任意に選択可能としている。２つのモードとは、照明装置２ごと、あるいは、人感検知エリア６ごと、あるいは、照明制御システム１全体で、人感センサ３の「在」検知を照明装置２に対する照明制御に利用するかどうかを決めるモードのことである。例えば、モードの設定手段として、ワイヤレスリモコン７や中央制御装置を用いることで、容易に設定が可能となり、常時設定されているモードを画面などでモニタすることができるため、利便性が向上する。
【００３７】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【図面の簡単な説明】
【００３８】
【図１】実施の形態１に係る照明制御システムの構成を示すブロック図である。
【図２】実施の形態１に係る照明制御システムの動作を示すタイムチャートである。
【図３】実施の形態１に係る照明制御システムの動作を示す図である。
【図４】実施の形態２に係る照明制御システムの構成を示すブロック図である。
【図５】従来の照明制御システムの動作を示すタイムチャートである。
【図６】従来の照明制御システムの動作を示す図である。
【符号の説明】
【００３９】
１  照明制御システム、２  照明装置、３  人感センサ、４  壁スイッチ、５  制御範囲、６  人感検知エリア、７  ワイヤレスリモコン、８  作業者、９  作業エリア、２０  照明制御部、２１  照明器具、２２  ランプ、４０  信号入力部、７０  選択部、９１  照明制御システム、９２  照明装置、９３  人感センサ、９４  壁スイッチ、９５  制御範囲、９６  人感検知エリア、９８  作業者、９９  作業エリア。
【図１】
0005317539.tif 000002
【図２】
0005317539.tif 000003
【図３】
0005317539.tif 000004
【図４】
0005317539.tif 000005
【図５】
0005317539.tif 000006
【図６】
0005317539.tif 000007